(57)【要約】【課題】  ユーザの使用状況に沿ったメッセージの表示を可能とさせて処理効率を高めると共に、操作性の良い画像処理装置を提供する。【解決手段】  画像処理装置は、メッセージ１３ｃの表示形態の設定をする設定手段を備える。ユーザは、メッセージ１３ｃの種類毎に設定ができる設定画面から表示形態、具体的には、メッセージ１３ｃの表示の有無、表示時間、表示枠の色、表示の形状、表示位置を設定する。メッセージ１３ｃの表示の有無の選択において、「表示しない」を選択した場合は、それ以降の設定はしない。「表示する」を選択した場合は、表示時間、表示枠の色、表示形状、表示位置等の全項目の設定をする。【選択図】図５
2008092368.tif 000002
【特許請求の範囲】
【請求項１】
表示画面を有する操作パネルと、
前記表示画面にメイン画面とサブ画面とを表示させる表示手段と、
前記サブ画面の種類毎に異なる表示形態を設定することが可能な設定手段とを備え、
前記表示手段は、前記設定手段により設定された表示形態で前記サブ画面を表示することを特徴とする画像処理装置。
【請求項２】
サブ画面がメッセージとされ、
表示手段は、前記メッセージをメイン画面に重ねて表示することを特徴とする請求項１に記載の画像処理装置。
【請求項３】
設定手段は、メッセージの種類に応じて、前記メッセージの表示形態の変更を許可するか、禁止するかを判断することを特徴とする請求項１または２に記載の画像処理装置。
【請求項４】
メッセージが、トラブルコード、確認、エラー、禁止、注意の内、少なくとも２分類以上に分類され、
設定手段は、前記トラブルコードに分類されたメッセージの表示形態の変更を禁止することを特徴とする請求項３に記載の画像処理装置。
【請求項５】
設定手段は、メッセージの表示時間を変更することを特徴とする請求項１または２に記載の画像処理装置。
【請求項６】
設定手段は、メッセージの重要度に応じて、前記メッセージの表示形態の変更を許可するか、禁止するかを判断することを特徴とする請求項１〜５のいずれかに記載の画像処理装置。
【請求項７】
設定手段は、重要度が大の場合は表示形態の変更を禁止し、重要度が中の場合は表示形態の変更を特定のユーザのみ許可し、重要度が小の場合は表示形態の変更を許可することを特徴とする請求項６に記載の画像処理装置。
【請求項８】
設定手段は、メッセージの表示形状、大きさ、色、位置を変更することを特徴とする請求項１または２に記載の画像処理装置。
【請求項９】
設定手段は、メッセージの表示の有無を変更し、
表示手段は、変更された表示の有無に基づいて前記メッセージを表示することを特徴とする請求項１または２に記載の画像処理装置。
【請求項１０】
表示手段は、メッセージが非表示の場合であっても、前記メッセージの種類の中で重要度の高いメッセージのみ表示することを特徴とする請求項９に記載の画像形処理装置。
【請求項１１】
表示形態における特定部分を変更するとき、設定手段は、特定のユーザからの変更のみ許可することを特徴とする請求項１または２に記載の画像処理装置。
【請求項１２】
外部端末と通信する通信手段を備え、
前記外部端末から前記通信手段を介しての表示形態の設定があった場合、設定手段は、前記設定を許可することを特徴とする請求項１または２に記載の画像処理装置。
【発明の詳細な説明】
【技術分野】
【０００１】
本発明は、装置の状態に応じてユーザにメッセージを表示する画像処理装置に関する。
【背景技術】
【０００２】
画像処理装置は、コピーモード、プリントモード、スキャナモード、ファクシミリモードといった多様な画像処理を行なう。このような画像処理装置には、その機能を利用するために、ユーザによって操作入力がされる操作パネルが備えられる。
【０００３】
この操作パネルには、表示画面が備えられており、図１１に示すように、その表示画面に画像処理装置の異常状態や動作状態、操作入力の禁止情報、あるいは、エラーコードと言ったユーザに対して報知するためのメッセージが表示される。このようなメッセージを表示する報知方法として、特許文献１が開示されている。
【特許文献１】特開２００６−９１３４３公報
【発明の開示】
【発明が解決しようとする課題】
【０００４】
ところで、メッセージは、トラブルコード、確認、エラー、禁止、注意等の色々な種類のメッセージがあるが、メッセージの表示形態、例えば、表示時間は、全て同じ条件で設定されていた。
【０００５】
しかし、表示するメッセージによって最適な表示時間がある。例えば、異常や故障等を報知するメッセージについては、安全上の理由からユーザに対して必ず報知する必要があるため長時間の表示が必要となる。注意を促すメッセージについては、ユーザが認識した時点で表示する必要なくなるため、短時間の表示で十分である。操作の確認を求めるメッセージについては、操作が不慣れなときはメッセージを長時間表示する必要となるが、操作に慣れてくるとメッセージの表示は短時間で十分である。
【０００６】
ところで、メッセージの表示時間は、従来から設定が可能とされる。しかしながら、この表示時間の設定は、図１２〜図１４に示すように、あくまでも全メッセージを対象にしており、一律の表示時間を設定できるだけに留まる。そのため、メッセージの種類によって表示時間を変えたいユーザにとっては、使い勝手が悪い。
【０００７】
例えば、全てのメッセージを長時間の表示に設定した場合、ユーザに対して注意を促すメッセージも長時間の表示となるため操作入力ができず、作業がはかどらない問題がある。また、全てのメッセージを短時間の表示にした場合、異常や故障等の必ずユーザに報知するメッセージも短時間の表示となり、ユーザが誤った操作してしまう不安がある。
【０００８】
一方、最近の画像処理装置は、セキュリティの問題からユーザに対して認証を行なうものがある。このユーザの認証にかかる操作、特に、同一のユーザに対する認証においては、一連の操作が完了する間に何度も同じ確認メッセージが表示される。このメッセージが表示される度に表示画面がメッセージに占領されるため、設定時間が過ぎてメッセージが消えるまでの間、ユーザは操作ができない。このような状況から、ユーザにとってメッセージの表示が最適なものとなっていなかった。
【０００９】
また、製造メーカは、製品を開発するに当たり、過度のメッセージの表示によってユーザの操作が煩わしくならないように気をつける必要があった。例えば、過度のメッセージの表示を控えるために、絶対的に必要と判断されるメッセージ、すなわち、操作や設定の確認、注意を促すメッセージ等で重要度の高くないメッセージにおいて、あるユーザにとっては必要だと考えられても、別なユーザにとっては目障りとなってしまうメッセージは、操作仕様に組み込まれない。
【００１０】
そこで、本発明は、上記問題に鑑み、ユーザの使用状況に沿ったメッセージの表示を可能とさせて処理効率を高めると共に、操作性の良い画像処理装置の提供を目的とする。
【課題を解決するための手段】
【００１１】
上記目的を達成するために、本発明では、表示画面を有する操作パネルと、前記表示画面にメイン画面とサブ画面とを表示させる表示手段と、前記サブ画面の種類毎に異なる表示形態を設定することが可能な設定手段とを備え、前記表示手段は、前記設定手段により設定された表示形態で前記サブ画面を表示することを特徴とする。
【００１２】
上記構成によると、ユーザは、複数の種類に分類されるサブ画面の表示形態をユーザの使用状況に合わせて、その種類毎に設定を変更することで、ユーザにとって最適な表示が可能となる。
【００１３】
また、サブ画面がメッセージとされ、表示手段は、前記メッセージをメイン画面に重ねて表示することを特徴とする。
【００１４】
ここで、メッセージとは、画像処理装置の状況情報、ニュース等の活字情報あるいは映像情報である。サブ画面は、メイン画面に重ねて表示するだけでなく、メイン画面と並べて２画面表示しても良い。さらに、サブ画面を複数表示しても良い。
【００１５】
上記構成により、ユーザは、メッセージの種類に応じて表示形態を変更することができる。表示形態を変更することで、ユーザにとって不要なメッセージの種類は、操作入力等を行なう際にメイン画面の邪魔にならないように表示される。ユーザにとって必要なメッセージは、ユーザに対して分かりやすく、適切に表示される。すなわち、メッセージは、ユーザの使用状況に応じた表示がされる。これにより、ユーザは、操作を効率よく行なうことができる。
【００１６】
また、設定手段は、メッセージの種類に応じて、前記メッセージの表示形態の変更を許可するか、禁止するかを判断することを特徴とする。
【００１７】
例えば、故障にかかるメッセージ、すなわち、ユーザにとって絶対的に必要と判断されるメッセージは、ユーザの安全上、その表示形態の設定を禁止と判断する。運転状況または操作方法を報知するメッセージは、ユーザの使用状況に応じて変更することで操作効率が向上するので、設定手段は、その表示形態の設定を許可する。これにより、ユーザにとって安全に画像処理装置を使用することができる。
【００１８】
ここで、メッセージの設定を許可するか、禁止するかの判断は、メッセージの種類に応じて行なう。例えば、メッセージが、トラブルコード、確認、エラー、禁止、注意に分類された場合、設定手段は、前記トラブルコードに分類されたメッセージの表示形態の設定を禁止する。
【００１９】
トラブルコードとは、画像処理装置にトラブルが発生した時、消耗品のライフ前およびライフに達した時等に、画像処理装置自身がその内容を検知、解析し、その内容をユーザあるいはサービスマンに報知するメッセージである。すなわち、ユーザあるいはサービスマンが適切な対応とるためには、トラブルコードはユーザあるいはサービスマンが必ず認識できるように表示させる必要がある。そのため、設定手段は、トラブルコードに分類されたメッセージの表示形態の設定を禁止する。これにより、画像処理装置の動作停止等の障害を最小限に抑えることができる。
【００２０】
また、メッセージの設定を許可するか、禁止するかの判断は、メッセージの重要度に応じて行なう。例えば、メッセージの重要度が大、中、小に分類された場合、設定手段は、重要度が大の場合は表示形態の設定を禁止し、重要度が中の場合は表示形態の設定を特定のユーザのみ許可し、重要度が小の場合は表示形態の設定を許可する。
【００２１】
ここで、重要度とは、画像処理装置から発せられる情報の緊急性の程度、あるいは、ユーザに対して必要なものか否かの度合いを示すものである。具体的には、重要度が大のメッセージは、故障、または、サービスマンによって修理が必要とする故障と言った、ユーザに対して絶対に報知する必要があるメッセージの種類である。重要度が中のメッセージはは、操作入力の手順、または、操作方法と言った、ユーザが使用するにあたり、その操作を分かりやすくするために必要なメッセージの種類である。重要度が小のメッセージはは、特にユーザに対して報知する必要がないメッセージの種類である。
【００２２】
また、設定手段は、メッセージの表示形態、具体的には、表示の有無、表示時間、表示形式（表示枠の色、表示枠の形状、表示位置）の設定項目を設定することを特徴とする。
【００２３】
上記構成によると、例えば、表示時間の設定をすることで、画像処理装置の異常等を報知するメッセージの種類は長く表示させておくことができ、注意等を促すメッセージはユーザに認識される程度の時間での表示ができる。操作の確認を求めるメッセージの種類は、装置の導入時など操作が不慣れな時点では表示時間を長くすることができ、操作に慣れた時点で表示時間を短く変更することができる。これにより、ユーザは、余裕をもって操作を行なうことが可能となるので、業務を効率的に行なうことが可能となる。
【００２４】
また、表示の有無の設定をすることで、表示するか否かをユーザが直接判断するため、決まった作業を繰り返し行なうユーザにとっては、分かりきったメッセージを前もって省くことできる。そのため、ユーザは、中断なく業務を進めることができる。
【００２５】
このとき、表示手段は、メッセージが非表示の場合であっても、前記メッセージの種類の中で重要度の高いメッセージは表示する。例えば、画像処理装置の重大な故障を告知するメッセージについては、ユーザにより表示形態が非表示に設定されると、メッセージの内容が伝わらない。そのため、重大な問題が発生する可能性が高い。そこで、これらのメッセージについては、メッセージの種類が非表示に設定された場合でも、必ず表示されるようにする。
【００２６】
なお、これらの設定をユーザ毎にしても良い。ユーザ毎に設定することで通常使用するメッセージとは別に、各ユーザに対して必要とするメッセージを表示することも可能となる。
【００２７】
また、表示形式の設定をすることで、ユーザの好みに合わせたメッセージの表示形式にカスタマイズできる。これにより、メッセージの種類毎にユーザに適した表示となるため、表示されると同時にどのような内容のメッセージであるかをすぐに認識できる。
【００２８】
また、表示形態における特定部分を設定するとき、設定手段は、特定のユーザからの設定のみ許可することを特徴とする。ここで、特定部分とは、予め決められたメッセージの種類、あるいは、表示形態の設定項目である。また、特定のユーザとは、画像処理装置の管理者や責任者である。
【００２９】
上記構成によると、特定のユーザである管理者、責任者の知らないところで必要なメッセージの表示形態が設定されることを防ぐことができる。具体的には、エラーを告知するメッセージや、ユーザに注意を促すメッセージの表示形態は、管理者または管理者のみが設定することができるが、管理者の許可のないユーザ、または、権限の少ないユーザはメッセージの表示形態の設定をすることがない。これにより、ユーザにとって安全に画像処理装置を使用することができる。
【００３０】
また、外部端末と通信する通信手段を備え、前記外部端末から前記通信手段を介しての表示形態の変更があった場合、設定手段は、前記設定を許可することを特徴とする。
【００３１】
通信手段は、ネットワークを介して外部に接続される外部端末と通信することができる。この構成によると、ユーザは、わざわざ画像処理装置に行くことなくメッセージにかかる設定を行なうことができる。また、管理サーバのような外部端末によってネットワークに接続された複数の画像処理装置の設定を同時に複数行なうことができる。そのため、ユーザにとって設定の変更作業の効率化が図れる。
【００３２】
なお、外部端末からネットワークを介して画像処理装置に接続する際、パスワード等によってユーザの認証をする。この構成によると、画像処理装置を使用するユーザ以外からの設定を防止することができ、安全に画像処理装置を使用することができる。
【発明の効果】
【００３３】
以上のとおり、本発明は、ユーザの操作状況に合わせてメッセージを表示することができる。そのため、ユーザに対して必要なメッセージが適切な状態で表示されるため、余計な待機をすることがなく、効率よく操作を行なうことができる。したがって、使い勝手の良い画像処理装置を実現することができる。
【発明を実施するための最良の形態】
【００３４】
〔第１実施形態〕
本実施形態の画像処理装置を図１に示す。本画像処理装置は、コピーモード、プリントモード、スキャナモード、および、ファクシミリモードを有するデジタル複合機である。画像処理装置は、原稿を読み取って画像データを入力する画像読み取り部１と、使用者の入力を受け付ける操作部２と、入力された画像データの印刷を行なう画像形成部３と、画像データを保存するハードディスク装置４と、外部機器とのデータ通信を行なう通信部５と、ファクシミリ装置６と通信するためのＦＡＸモデム７と、装置全体の制御情報や設定情報等を記憶している管理部８と、装置全体の制御を司るＣＰＵからなる機器制御部９とを備えている。
【００３５】
画像読み取り部１は、画像データを入力する画像データ入力手段として機能し、ＣＣＤ１０といった撮像素子と、原稿台や自動原稿送り装置（ＡＤＦ）にセットされた原稿を検知する原稿検知センサ１１とを有する。ＣＣＤ１０によって読み取られた画像の画像データは画像形成部３に出力される。
【００３６】
操作部２は、図２に示すような操作パネルを備える。操作パネルは、各種入力キーからなる入力部１２と、液晶ディスプレイ等の表示部１３とを有する。
【００３７】
入力部１２は、各種の入力を行なう固定キー１２ａを有する。固定キー１２ａは、機械的な接点を有しており、固定キー１２ａのトップを押し下げることで機械的な接点が接触し、導通を行なう。このときに生じた検知信号が機器制御部９に入力する。機器制御部９は、検知信号に基づいて操作された固定キー１２ａを判別し、固定キー１２ａに割り振られた機能に対応した操作信号を機器制御部９に出力する。
【００３８】
表示部１３は、指や専用のペン等でパネル表面に触れることで操作の入力を受け付けるタッチパネルと、メイン画面やサブ画面を表示する液晶ディスプレイ１３ａとを有する。表示部１３は、メイン画面とサブ画面１３ｃとを表示するように、機器制御部９によって駆動制御される。また、表示部１３は、表示専用の領域１３ｄを有する。この表示専用の領域１３ｄは、画像処理装置の運転状況あるいは操作部２の使用の可否等を報知する情報を表示する。
【００３９】
なお、メイン画面とは、タッチキー１３ｂやタッチキー１３ｂの入力内容等が表示される画面である。サブ画面とは、運転状況あるいは機能説明等のメッセージ１３ｃが表示される画面である。タッチキー１３ｂとは、用紙の指定、コピーの拡大・縮小、印刷濃度等の機能選択をする入力キーの表示である。
【００４０】
画像形成部３は、入力された画像データを記憶するメモリ２０と、レーザ走査ユニットを有する印字部２１と、手差しトレイ、カセットトレイを備えた給紙部２２と、排紙トレイを備えた排紙部２３と、画像処理部２４と、暗号化複号化部２５とを有する。
【００４１】
メモリ２０は、ＳＤＲＡＭ、フラッシュメモリ等の読み書き可能な半導体メモリを用いる。メモリ２０は、入力された画像データを記憶する領域と、出力するための画像データを記憶する領域とに分割されている。なお、１つのメモリ２０を分割して使用する代わりに、２つのメモリ２０を入力用と出力用として、それぞれ使用してもよい。
【００４２】
画像形成部３において、入力された画像データはメモリ２０に記憶される。メモリ２０は、古い画像データに新しい画像データを上書きすることにより、画像データを記憶する。画像データは、画像処理部２４によって圧縮、伸張、加工等の画像処理が行われ、メモリ２０に記憶される。画像処理された画像データが印字部２１、ハードディスク装置４あるいは機器制御部９に出力される。印字部２１は、メモリ２０に記憶された画像データに基づいて、給紙部２２から供給される記録シートに画像を印刷する。このように、画像形成部３は、画像データを処理する処理手段として機能する。
【００４３】
通信部５は、ＬＡＮケーブルを介してルータ、スイッチングハブ等に接続され、パソコン、サーバ等の外部端末３０によって形成されたネットワークと接続される。ネットワークは、電話回線網や光ファイバ等の通信回線を介してインターネットに接続される。通信部５は、ネットワーク内の外部端末３０とデータの送受信を行なうとともに、インターネットを通じて外部の外部端末３０とデータや電子メールの送受信を行なう。さらに、インターネットを通じてファクシミリ装置３１とインターネットファクシミリ通信も行なう。ＦＡＸモデム７は、電話線を介して電話回線網に接続され、外部のファクシミリ装置６とファクシミリ通信を行なう。
【００４４】
通信部５およびＦＡＸモデム７は、外部端末３０やファクシミリ装置６、３１といった外部装置から画像データを受信して入力する。すなわち、これらは画像データ入力手段として機能する。また、通信部５は、外部装置から画像データを入力したとき、操作指示の入力も同時に受け付けため、入力手段としても機能する。さらに、通信部５およびＦＡＸモデム７は、画像データを外部装置に送信するという処理を実行するため、処理手段として機能する。
【００４５】
機器制御部９は、入力された画像データに対してジョブを実行する。すなわち、操作部２からの入力や外部装置からのデータ入力に応じて、管理部８に記憶されている情報に基づいて各部を制御して、入力された画像データを処理する。ジョブの実行により、入力された画像データに応じて、コピーモード、プリントモード、スキャナモード、ファクシミリモードのいずれかが実行され、画像が所望の形態で出力される。
【００４６】
機器制御部９は、固定キー１２ａあるいはタッチキー１３ｂから入力された操作指令に基づいて各部の動作を制御すると共に、動作状況に合わせた操作画面を液晶ディスプレイ１３ａに表示させるよう指示を出す。液晶ディスプレイ１３ａは、機器制御部９からの指示に基づいて、タッチキー１３ｂやメッセージ１３ｃを配置し、液晶ディスプレイ１３ａに表示させる。
【００４７】
また、機器制御部９は、メッセージ１３ｃの表示形態の設定手段を備える。なお、メッセージ１３ｃとは、ユーザに対して報知する情報である。各メッセージ１３ｃは、メモリ２０に種類毎に記憶される。メッセージ１３ｃの種類は、トラブルコード、確認、エラー、禁止、注意とされる。
【００４８】
設定手段は、図３に示すような、メッセージ１３ｃの表示形態を管理する管理テーブルを有する。管理テーブルは、メッセージ１３ｃの種類毎に表示形態が記録される。メッセージ１３ｃの各種類に係る表示形態の設定項目は、表示の有無、表示時間、表示枠の色、表示枠の形状、表示位置が挙げられる。
【００４９】
表示形態の変更として、具体的には、図４に示すような設定画面においてメッセージ表示の設定を選択することで、図５に示すようなメッセージの種類毎に設定が可能な設定画面が表示される。
【００５０】
メッセージ１３ｃの表示の有無を選択は、メッセージ１３ｃを表示すると表示しないとを選択することができる。「表示する」を選択した時は、それ以降の設定、すなわち、表示時間、表示枠の色、表示形状、表示位置等の設定が可能となる。「表示しない」を選択した場合、設定された種類のメッセージ１３ｃは、一切表示されない。そのため、その他の設定項目については設定をすることができない。
【００５１】
ただし、ユーザに対して危険を伴う故障、モータあるいは基板の故障、サービスマンによって修理が必要とする故障のときに表示されるメッセージ１３ｃは、「表示しない」にすることができない。また、ユーザにとって表示が必須であると考えられるメッセージ１３ｃ、例えば、「システム設定の全設定値が工場出荷時の設定になります。よろしいですか？」という確認のメッセージ１３ｃも、ユーザにとって表示が必須であると考えられるため、「表示しない」にすることができない。もし、確認のメッセージ１３ｃの全体が「表示しない」に設定された場合であっても、このメッセージ１３ｃだけは液晶ディスプレイ１３ａに必ず表示される。
【００５２】
表示時間とは、メッセージが表示部１３に表示される時間であって、ユーザの好みに合わせて設定が可能とされる。本実施形態においては、１〜３０秒の間で設定可能とされるが、特にこれに限られることはなく、１００秒、１０００秒等、任意の範囲で設定しても良い。
【００５３】
メッセージ１３ｃの表示形式とは、液晶ディスプレイ１３ａに表示されるメッセージの形状であって、表示されるメッセージ１３ｃの種類を容易に認識できるように、メッセージ１３ｃの種類毎に表示枠の色、表示枠の形状、メッセージ１３ｃの表示位置を任意に変更することができる。
【００５４】
なお、表示枠の形状は、ボックス、楕円、ひし形、吹き出しの中から選ぶことができ、さらに、異なるメッセージ１３ｃの種類と同じ表示枠の形状も選択することができる。表示枠の色は、赤、黄、橙、青、緑の中から１色を選択することができるが、１つのメッセージ１３ｃの種類について１色しか選択できない。そのため、同じ色が異なるメッセージ１３ｃの種類と重なって使用されることはない。
【００５５】
管理テーブルには、メッセージ１３ｃの種類毎に付随する条件が記録されている。例えば、メッセージの重要度が記録される。メッセージは、その種類に応じて重要度を大、中、小の三段階で設定されている。設定手段は、重要度の段階に応じて表示形態の設定の範囲を制限される。
【００５６】
具体的には、重要度が大であるトラブルコードにかかるメッセージ１３ｃは、表示の有無における「表示をしない」の選択を禁止する旨が記録されている。この場合、トラブルコードの「表示の有無」の欄では、「表示する」が既存値として記録され、「表示しない」は選択不可とされる。
【００５７】
重要度が中であるエラーおよび注意にかかるメッセージ１３ｃは、特定のユーザ、例えば、画像処理装置の管理者や責任者のみに設定権限が与えられる旨が記録されている。この場合、エラーおよび注意の「表示の有無」の欄では、「表示する」が既存値として記録されており、「表示しない」を選択した場合、その操作入力が管理者か否かを確認するためにパスワードを要求する。パスワードが認識されると、「表示の有無」の欄が「表示しない」に設定する。
【００５８】
重要度が小であるメッセージ１３ｃ、すなわち、特にユーザに対して報知する必要がないメッセージ１３ｃは、制限がされていないため特に記録されていない。
【００５９】
また、特記事項には、メッセージ１３ｃの種類、あるいは、表示形態の設定項目にかかる特定部分が記録される。この特定部分は予め設定されており、その特定部分の変更は管理者のみ変更することができる。具体的には、特定部分を設定項目の「表示の有無」とした場合、全てのメッセージ１３ｃにおいて「表示しない」を選択すると、必ず、その操作入力が管理者か否かを確認するためのパスワードが要求される。また、特定部分をメッセージの種類である「エラー」とした場合、エラーにかかる表示形態の設定項目のいずれかを設定するたびに、その操作入力が管理者か否かを確認するためのパスワードが要求される。
【００６０】
次に、メッセージ１３ｃの表示形態の設定方法について、図６および図７のフローチャートを用いて説明する。
【００６１】
ユーザは、操作部２の固定キー１２ａから操作入力する。これにより、機器制御部９は、液晶ディスプレイ１３ａに図４に示すような設定画面を表示する。ユーザが液晶ディスプレイ１３ａに表示された設定画面の中央下のシステム設定のタッチキー１３ｂを押すと（Ｓ１）、機器制御部９は、表示部１３に図５に示すような表示画面が表示する（Ｓ２）。このとき、メッセージ１３ｃの種類毎の各設定値は、前回設定された値、例えば、初めてメッセージ１３ｃの表示形態を設定するのであれば、工場から出荷されたときの設定値、一度設定しているのであれば、設定したときの設定値が表示される。
【００６２】
ユーザは、メッセージ１３ｃの種類毎に表示形態の設定をする。例えば、確認のメッセージ１３ｃの設定をする場合、先ず、その表示有無の設定をする（Ｓ１０）。表示有無において「表示する」を選択すると、次に表示時間を設定する。そして、表示枠の色、表示形状、表示位置の順に設定する。なお、表示有無において「表示しない」を選択した場合、それ以降の各設定項目の設定はしない。
【００６３】
エラーのメッセージの設定をする場合、表示有無の設定を「表示する」に設定すると、次に表示時間を設定する。そして、表示枠の色、表示形状、表示位置の順に設定する。ここで、ユーザがエラーのメッセージ１３ｃの表示有無を「表示しない」に設定した場合、その操作入力が管理者か否かを確認するためにパスワードが要求される。ユーザが管理者の場合は、パスワードを入力し、パスワードが認識されると、「表示の有無」の欄を「表示しない」に設定される。ユーザが管理者でない場合は、そのパスワード入力をキャンセルするか、時間が経過し自動的に設定画面に戻るのを待って、パスワード入力の操作を終了させる。
【００６４】
このように、全てのメッセージ１３ｃの種類にかかる表示形態の設定が完了したら、図５に示すような設定画面の右上のＯＫのタッチキー１３ｂを押す（Ｓ１１）。機器制御部９は、タッチキー１３ｂからの入力を検出すると、変更した内容に基づいて管理テーブルを更新し、表示形態の設定項目の設定を終了する。そして、機器制御部９が変更された設定値を認識することで、メッセージ１３ｃの表示形態が反映される（Ｓ３）。
【００６５】
〔第２実施形態〕
次に、図８および図９を用いて、第２実施形態について説明する。なお、本実施形態は、メッセージ１３ｃの表示形態の設定の変更方法が第１実施形態と異なる。本実施形態の画像処理装置は、第１実施形態の画像処理装置と同一の構造とされるため、同一部分には同一符号を付して説明は省略する。
【００６６】
本実施形態のメッセージ１３ｃの表示形態の設定方法では、図８に示すように、各メッセージ１３ｃの種類で表示形態の設定をする。詳しくは、ユーザは、メッセージ１３ｃの種類を選択し、選択したメッセージ１３ｃの種類について表示形態の設定をする。
【００６７】
例えば、トラブルコードのメッセージ１３ｃの表示形態の設定をする場合、図８に示すような設定画面でトラブルコードのタッチキー１３を押すと、図９に示すような設定画面が表示される。そして、当該設定画面から表示形態の設定をする。
【００６８】
なお、メッセージ１３ｃの表示形態の設定方法については、第１実施形態と同様とされるため、表示形態の設定方法の説明は省略する。
【００６９】
〔第３実施形態〕
次に、図１０を用いて、第３実施形態について説明する。なお、本実施形態の画像処理装置は、第１実施形態の画像処理装置と同一の構造とされるため、同一部分には同一符号を付して説明は省略する。
【００７０】
第１実施形態および第２実施形態では、画像処理装置の操作部２からメッセージの表示形態の設定方法について説明したが、メッセージ１３ｃの表示形態の設定をするために、わざわざ画像処理装置のある場所まで行かずに、ネットワークで接続された外部端末３０の表示画面からＷＥＢのシステム設定画面（図１０参照）を介して設定する。
【００７１】
ここで、外部端末３０の表示画面に表示されたＷＥＢのシステム設定画面からのメッセージ１３ｃの表示形態の設定方法の例としては、図１０に示すような表示画面に、図５に示すようなメッセージ１３ｃの表示形態の一覧を表示させ、その表示形態の一覧から設定をする。
【００７２】
上記構成によると、ユーザは、わざわざ画像処理装置に行くことなくメッセージ１３ｃの設定を行なうことができる。また、ネットワークによって接続された外部端末３０からＷＥＢのシステム設定画面を介してメッセージ１３ｃの設定を行なうため、複数の画像処理装置の設定を同時に行なうことができる。そのため、ユーザにとって設定作業の効率化が図れる。
【００７３】
ただし、外部端末３０からネットワークを介して画像処理装置に接続する際、機器制御部９は、接続した外部端末を使用しているのが登録されたユーザであるか否かをパスワード等によって認証をする。この構成によると、特定のユーザ以外からの設定の変更を防止することができ、安全に画像処理装置を使用することができる。
【００７４】
なお、本発明は、上記実施形態に限定されるものではなく、本発明の範囲内で修正・変更を加えることができるのは勿論である。例えば、本発明では、コピー、ＦＡＸ、スキャナ等を備えた複合機である画像処理装置を例示して説明した、特にこの限りではなく、ＦＡＸ機、スキャナ機、コピー機と言った単体機に用いても良い。
【００７５】
また、ネットワークに接続された外部端末からメッセージの表示形態の設定を説明したが、携帯電話やＰＤＡ等のポータブル端末からインターネットを介してメッセージの表示形態の設定を行なってもよい。また、ＵＳＢメモリ、ＣＤ、ＤＶＤと言った記録媒体に設定内容を記憶させておき、画像処理装置あるいは外部端末は、記憶媒体から記憶された設定内容を読み出すことで設定をしても良い。
【００７６】
また、本実施形態では、メッセージの種類をトラブルコード、確認、エラー、禁止、注意としたが、特にこの限りではなく、トラブルコードとエラーだけ、あるいは、トラブルコード、確認、エラー、禁止、注意以外の種類を追加しても良い。
【００７７】
また、本実施形態では、特定のユーザのみに変更が可能な特定項目を予め設定しているが、特にこの限りではなく、管理者や管理者に許可されたユーザ等によって特定項目を設定可能としても良い。
【００７８】
さらに、管理者の確認にパスワードを採用しているが、特にこの限りではなく、静脈認証、指紋認証、人相認証、角膜認証、手相認証、声門認証等、種々の認証手段を用いても良い。
【図面の簡単な説明】
【００７９】
【図１】本発明の第１実施形態にかかる画像処理装置の概略構成を示す図
【図２】第１実施形態に係る画像処理装置の操作部を示す図
【図３】第１実施形態に係るメッセージの種類毎の表示形態である一覧表を示す図
【図４】第１実施形態に係る選択画面を示す図
【図５】第１実施形態に係るメッセージの種類毎の表示形態の設定をする画面を示す図
【図６】第１実施形態に係る画像データの表示形態の設定をするときのフローチャート
【図７】第１実施形態に係る画像データの表示形態の設定をするときのフローチャート
【図８】第２実施形態に係る選択画面を示す図
【図９】第２実施形態に係るメッセージの種類毎の表示形態の設定をする画面を示す図
【図１０】第３実施形態に係るメッセージの種類毎の表示形態の設定をする画面を示す図
【図１１】従来のメイン画面にサブ画面が表示されたときの表示画面を示す図
【図１２】従来の選択画面を示す図
【図１３】従来のサブ画面の表示時間の設定をする画面を示す図
【図１４】従来のＷＥＢ画面を介してメッセージの表示形態の設定する画面を示す図
【符号の説明】
【００８０】
１    画像読み取り部
２    操作部
３    画像形成部
４    ハードディスク装置
５    通信部
９    機器制御部
１２    入力部
１２ａ  固定キー
１３    表示部
１３ａ  液晶ディスプレイ
１３ｂ  タッチキー
１３ｃ  メッセージ
２０    メモリ
３０    外部端末
【図１】
2008092368.tif 000003
【図２】
2008092368.tif 000004
【図３】
2008092368.tif 000005
【図４】
2008092368.tif 000006
【図５】
2008092368.tif 000007
【図６】
2008092368.tif 000008
【図７】
2008092368.tif 000009
【図８】
2008092368.tif 000010
【図９】
2008092368.tif 000011
【図１０】
2008092368.tif 000012
【図１１】
2008092368.tif 000013
【図１２】
2008092368.tif 000014
【図１３】
2008092368.tif 000015
【図１４】
2008092368.tif 000016